(57)【要約】【課題】  簡単な構成で、いったん掛ければ、外れることがない二重フックを提供する。【解決手段】  二重フック１０では、フック１１，１２が板状の素材で形成され、反転した状態で重ねられている。フック１１，１２は、鉤状であり、鉤先端部１１ａ，１２ａと鉤基端部１１ｂ，１２ｂとの間がそれぞれ開口している。開口の奥は、鉤先端部１１ａ，１２ａと鉤基端部１１ｂ，１２ｂとの間を弧状に連結する鉤弧状部１１ｃ，１２ｃとなっている。開口部分同士は重ならないで、必ず、開口部分と鉤弧状部１１ｃ、１２ｃの部分とが重なる。したがって、二重フック１０は、簡単な構成でも、掛けた棒１４から外れないようにすることができる。【選択図】図１
2011217853.tif 000002
【特許請求の範囲】
【請求項１】
鉤先端部、鉤弧状部および鉤基端部を備え、鉤先端部と鉤基端部との間が開口する鉤形状を有する一方側フックと、
大略的に、一方側フックが反転した鉤形状を有する他方側フックと、
一方側フックおよび他方側フックの鉤基端部同士を結合する結合部とを含み、
一方側フックと他方側フックとの間が開閉可能である、
ことを特徴とする二重フック。
【請求項２】
前記一方側フックおよび前記他方側フックの前記鉤基端部は、物品の吊下げ具に接続される、
ことを特徴とする請求項１記載の二重フック。
【請求項３】
前記一方側フックおよび前記他方側フックは、前記鉤基端部で接合されている組合せ状態で、開口内に長尺物を収容させる、
ことを特徴とする請求項１記載の二重フック。
【請求項４】
前記一方側フックおよび他方側フックの組合せ状態は、複数、前記鉤基端部で接続されることを特徴とする請求項３記載の二重フック。
【発明の詳細な説明】
【技術分野】
【０００１】
本発明は、ハンガーなどの物品を吊り下げたり、紐などを掛けたりするために使用する二重フックに関する。
【背景技術】
【０００２】
従来から、図４（ａ）に示すようなフック１は、たとえば、ＪＩＳ  Ｂ０００１の図３８に示され、クレーンなどで物品を吊り下げる部分や、ハンガーや紐などを他に掛ける部分に使用されている。フック１は、鉤状の先端２と基端３との間が開口し、基端３側をハンガーや紐などに接続する。図４（ｂ）に示すように、フック１を物干竿のような棒４に掛ける場合、棒４の径Ｄは、先端２と基端３との間で開口する間隔Ｓよりも小さくする必要がある。
【０００３】
図４に示すようなフック１は、金属やプラスチックなど、種々の材料や製法で製造することができる。板状の紙を素材として、積層して形成することもできる（たとえば、特許文献１参照）。また、開口する向きの違うフック１を重ねた状態で使用することもできる（たとえば、特許文献２参照）。
【先行技術文献】
【特許文献】
【０００４】
【特許文献１】特開平７−１９４４７４号公報
【特許文献２】登録実用新案第３０２５０３０号公報
【発明の概要】
【発明が解決しようとする課題】
【０００５】
図４（ｂ）のように、棒４などにフック１を掛ける場合、棒４の径Ｄと間隔Ｓとは、Ｄ＜Ｓである必要があり、Ｄを大きくすると、Ｓも大きくしなければならないけれども、Ｓを大きくすると、角度θが小さくなる。角度θが小さくなると、フック１の内側で棒４に掛る部分が減少し、外れやすくなってしまう。たとえば洗濯物を干すハンガーに付けたフック１を、物干竿としての棒４に掛ける場合、フック１が振れると、角度θが小さいと外れて、洗濯物が落下してしまうおそれがある。
【０００６】
特許文献２には、多種多様に使用可能な多用途フックについての考案が開示されており、その図６に示されている使用状態なら、逆向きのフック１が二重に掛る状態となって、振れても外れないことが期待される。しかしながら、この使用状態は多種多様な使用状態の一つであり、多種多様な使用状態を可能にするために、構成が複雑になっている。
【０００７】
本発明の目的は、簡単な構成で、いったん掛ければ、外れることがない二重フックを提供することである。
【課題を解決するための手段】
【０００８】
本発明は、鉤先端部、鉤弧状部および鉤基端部を備え、鉤先端部と鉤基端部との間が開口する鉤形状を有する一方側フックと、
大略的に、一方側フックが反転した鉤形状を有する他方側フックと、
一方側フックおよび他方側フックの鉤基端部同士を結合する結合部とを含み、
一方側フックと他方側フックとの間が開閉可能である、
ことを特徴とする二重フックである。
【０００９】
また本発明で、前記一方側フックおよび前記他方側フックの前記鉤基端部は、物品の吊下げ具に接続される、
ことを特徴とする。
【００１０】
また本発明で、前記一方側フックおよび前記他方側フックは、前記鉤基端部で接合されている組合せ状態で、開口内に長尺物を収容させる、
ことを特徴とする。
【００１１】
また本発明で、前記一方側フックおよび他方側フックの組合せ状態は、複数、前記鉤基端部で接続されることを特徴とする。
【発明の効果】
【００１２】
本発明によれば、一方側フックと他方側フックとは、鉤先端部、鉤弧状部および鉤基端部を備え、鉤先端部と鉤基端部との間が開口する鉤形状を有し、開口する方向が逆の状態で、結合部によって鉤基端部同士が結合している。一方側フックと他方側フックとの間が開閉可能であるので、開けば、一方側フックと他方側フックとで別々に棒などの支持体に掛けることができる。支持体に掛けた後で、一方側フックと他方側フックとの間を閉じれば、棒などの支持体から外れないように掛けておくことができる。たとえ振れて、一方側フックから支持体が外れても、他方側フックからは外れないので、振れが戻れば、両方のフックが掛る状態に復帰することができる。一方側フックと他方側フックとを、相互に反転した向きで重ねればよいので、簡単な構成で、いったん掛ければ、外れることがない二重フックを実現することができる。
【００１３】
また本発明によれば、ハンガーやピンチなどを物干竿などに掛けて洗濯物などの物品を吊り下げるような場合に、物品が振れても、物干竿などからはずれないようにすることができる。
【００１４】
また本発明によれば、ワイヤハーネスなどで、線材の結束を容易に行うことができる。
【００１５】
また本発明によれば、長尺物として単一または多くの本数の線材などを、途中での追加や間引きが容易な状態で、支持したり効率よくまとめることができる。
【図面の簡単な説明】
【００１６】
【図１】図１は、本発明の一実施例である二重フック１０の主要部分の構成を簡略化して示す正面図、および物干竿やパイプハンガーなどの棒１４に掛ける状態を示す図である。
【図２】図２は、図１の二重フック１０の展開図である。
【図３】図３は、本発明の他の実施例である二重フック２０で多数の線材１５を結束している状態を示す簡略化した断面図である。
【図４】図４は、従来からのフック１を示す正面図である。
【発明を実施するための形態】
【００１７】
以下、図１および図２で、本発明の一実施例としての二重フック１０について説明する。また、図３では、本発明の他の実施例としての二重フック２０について説明する。各図の説明で、先に説明してある部分と対応する部分に同一の参照符を付し、重複する説明を省略する場合がある。
【実施例１】
【００１８】
図１は、本発明の一実施例である二重フック１０を物干竿などの棒１４に掛けた状態の主要部分の構成を（ａ）に、棒１４に掛ける途中の状態を（ｂ）に、それぞれ示す。（ａ）に示すように、二重フック１０では、一方側フックである紙面の手前側のフック１１と、他方側フックである紙面の奥側のフック１２とが横方向に関して、相互に反転した状態で重ねられている。フック１１，１２は、紙面に垂直な方向の厚みが薄い状態の扁平な形状を有する板状の素材で形成されている。材料としては、金属、プラスチック、紙など、種々のものを使用することができる。フック１１，１２は、鉤状であり、鉤先端部１１ａ，１２ａと鉤基端部１１ｂ，１２ｂとの間がそれぞれ開口している。開口の奥は、鉤先端部１１ａ，１２ａと鉤基端部１１ｂ，１２ｂとの間を弧状に連結する鉤弧状部１１ｃ，１２ｃとなっている。ただし、二重フック１０として、相互に反転して重ねられている状態では、開口部分同士は重ならないで、必ず、開口部分と鉤弧状部１１ｃ、１２ｃの部分とが重なる。したがって、二重フック１０は、簡単な構成でも、掛けた棒１４から外れないようにすることができる。
【００１９】
フック１１，１２は、たとえば、鉤基端部１１ｂ，１２ｂで接合され、結合部１３が生じている。鉤基端部１１ｂ，１２ｂの下方には、ハンガー、ピンチ、紐などを連結して使用することができる。なお、フック１１，１２の平面形状は、基本的に鉤先端部１１ａ，１２ａと鉤基端部１１ｂ，１２ｂとの間が開口し、開口の奥が鉤弧状部１１ｃ，１２ｃとして転結されていればよく、形状自体は種々変更しうる。
【００２０】
（ｂ）に示すように、二重フック１０では、たとえばフック１１，１２が薄板状であるので全体的に可撓性を有し、厚み方向に開くことができる。結合部１３が主として開閉する関節となるようにしてもよい。開いている状態で、各フック１１，１２をそれぞれ棒１４に掛ければ、フック１１，１２を閉じた後で、（ａ）に示すような状態を容易に実現することができる。また、フック１１，１２を閉じて棒１４に掛っている状態から棒１４を外すためには、同様にフック１１，１２間を開き、各フック１１，１２からそれぞれ棒１４を外すようにすればよい。
【００２１】
図２は、図１の二重フック１０を展開した状態で示す。二重フック１０は、たとえば板状の紙を使用して形成される。鉤基端部１１ｂ，１２ｂで折曲げ、結合部１３で折曲げ部分の近傍を接合すれば、図１のような二重フック１０を形成することができる。特許文献１の図２のフック補強板に相当する部分を、鉤基端部１１ｂ，１２ｂに付加することもできる。このような展開状態では、印刷なども容易に行うことができ、図１のように二重フック１０を形成するときに、印刷内容を表示することができる。衣料品の店舗などで、商品を展示するハンガーなどに使用すれば、安価で、かつサイズなどの商品に関する情報を判り易く表示することができる。また、色、形、材質を変えて製造することも容易であり、種々のデザインで店舗などでのファッション性、インテリア性に寄与させることもできる。
【００２２】
フック１１，１２間の開閉を容易にするために、鉤弧状部１１ｃ，１２ｃに部分的な膨らみ１１ｄ，１２ｄなどで厚みを設けることもできる。膨らみ１１ｄ，１２ｄは、鉤先端部１１ａ，１２ａに設けることもできる。膨らみ１１ｄ，１２ｄ付近には隙間が生じるので、この隙間からフック１１，１２間を容易に開くことができる。
【実施例２】
【００２３】
図３は、本発明の他の実施例である二重フック２０で多数の電気配線材１５を、たとえば制御盤内や、オフィスのフローリング床下などで結束している状態を示す。電気配線材１５は、たとえばワイヤハーネスの電線であり、束ねられている途中からでも、フック１１，１２間を開けば容易に結束することができる。また、途中で電気配線材１５の一部を外したり、さらに他の電気配線材１５を追加したりすることも容易である。長尺物としては、電気配線材１５ばかりではなく、棒状のもの、管状のものなど、種々のものに適用することができる。鉤基端部１１ｂ，１２ｂ側は、（ａ）に示すように、自由な状態とすることもでき、また、他の部分に接続して支持を受けるようにすることもできる。結束する線材１５は、少数で、フック１１，１２の内部との間に大きな隙間があってもよい。また複数、たとえば３つの二重フック２０を連結して、より多くの線材１５を結束することもできる。二重フック２０の基端部１１ｂ，１２ｂには、係止用のスナップなどを装着しておけば、二重フック２０同士の着脱を容易に行い、組合せの変更などにも対応可能にすることができる。
【００２４】
以上で説明した二重フック１０，２０は、棒１４や電気配線材１５などの長尺物の途中に装着するばかりではなく、ロープやワイヤなどの長尺物の先端に取付けて、ロープやワイヤなどを他に引掛けるために用いることもできる。また、管の先端に取付け、管中を挿通するワイヤなどで、二重フック１０，２０を遠隔的に開閉操作可能にしておけば、高所など、離れた場所の長尺物の途中に掛けることもできる。
【００２５】
このような二重フック１０，２０の形状は、キーホルダーなどに広く使用されている二重リングと似ているかもしれない。しかしながら、二重リングは開口が設けられていない輪が二重に重ねられたものであり、重ねられた輪の間を開くことは可能でも、開くためには比較的大きな力を要する。
【００２６】
次の表１で、本発明の二重フック１０，２０と、二重リングおよび従来のフックとを比較して示す。
【表１】
2011217853.tif 000003
【００２７】
二重フック１０，２０のフック１１，１２間の開閉は、外部からは容易で、掛けた状態の内部からは困難である。二重フック１０，２０は、図４（ｂ）に示すフック１と同様に、開口部分の間隔Ｓ以下の径Ｄを有する棒などに掛けたり外したりすることができる。ただし、従来のフック１では、傾けると棒などから外れ易いのに対し、二重フック１０，２０では外れ難くなる。これに対し、二重リングでは、掛けたものが外れ難くなるように、リング間が開閉し難くされている。また、リング間は、リングの径に比較して小さくしか開かないので、内部にはリングの径に比較して小さい径相当のものしか収容することができない。二重フック１０，２０は、使用しうる素材も多くなる。複数の素材を組合わせることもできる。
【００２８】
図３（ｂ）に示すように、二重フック２０は、相互に連結することもできる。これに対して、従来のフックでは、たとえば図２のように二つのフック１１，１２を連結することは可能でも、使用する場合には、一方を上にして物干竿などに掛け、他方を下にして吊下げるなど、方向に制限が生じる。二重リングでは、輪相互を噛合わせて連結することのみに制限される。
【符号の説明】
【００２９】
１０，２０  二重フック
１１，１２  フック
１１ａ，１２ａ  鉤先端部
１１ｂ，１２ｂ  鉤基端部
１１ｃ，１２ｃ  鉤弧状部
１１ｄ，１２ｄ  膨らみ
１３  結合部
１４  棒
１５  電気配線材
【図１】
2011217853.tif 000004
【図２】
2011217853.tif 000005
【図３】
2011217853.tif 000006
【図４】
2011217853.tif 000007
【手続補正書】
【提出日】平成22年7月9日(2010.7.9)
【手続補正１】
【補正対象書類名】明細書
【補正対象項目名】０００８
【補正方法】変更
【補正の内容】
【０００８】
本発明は、可撓性を有する薄板状の素材で形成され、鉤先端部、鉤弧状部および鉤基端部を備え、鉤先端部と鉤基端部との間が開口する鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フックである。
【手続補正２】
【補正対象書類名】明細書
【補正対象項目名】００１２
【補正方法】変更
【補正の内容】
【００１２】
本発明によれば、一方側フックと他方側フックとは、可撓性を有する薄板状の素材で形成され、鉤先端部、鉤弧状部および鉤基端部を備え、鉤先端部と鉤基端部との間が開口する鉤形状を有し、開口する方向が逆の状態で、結合部で鉤基端部同士が接合されている。一方側フックと他方側フックとの間が厚み方向に開閉可能であるので、開けば、一方側フックと他方側フックとで別々に棒などの支持体に掛けることができる。支持体に掛けた後で、一方側フックと他方側フックとの間を閉じれば、棒などの支持体から外れないように掛けておくことができる。たとえ振れて、一方側フックから支持体が外れても、他方側フックからは外れないので、振れが戻れば、両方のフックが掛る状態に復帰することができる。一方側フックと他方側フックとを、相互に反転した向きで重ねればよいので、簡単な構成で、いったん掛ければ、外れることがない二重フックを実現することができる。
【手続補正３】
【補正対象書類名】明細書
【補正対象項目名】００２０
【補正方法】変更
【補正の内容】
【００２０】
（ｂ）に示すように、二重フック１０では、たとえばフック１１，１２が薄板状であるので全体的に可撓性を有し、厚み方向に開くことができる。開いている状態で、各フック１１，１２をそれぞれ棒１４に掛ければ、フック１１，１２を閉じた後で、（ａ）に示すような状態を容易に実現することができる。また、フック１１，１２を閉じて棒１４い掛っている状態から棒１４を外すためには、同様にフック１１，１２間を開き、各フック１１，１２からそれぞれ棒１４を外すようにすればよい。
【手続補正４】
【補正対象書類名】特許請求の範囲
【補正対象項目名】請求項１
【補正方法】変更
【補正の内容】
【請求項１】
可撓性を有する薄板状の素材で形成され、鉤先端部、鉤弧状部および鉤基端部を備え、鉤先端部と鉤基端部との間が開口する鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フック。
【手続補正書】
【提出日】平成22年12月9日(2010.12.9)
【手続補正１】
【補正対象書類名】明細書
【補正対象項目名】全文
【補正方法】変更
【補正の内容】
【発明の詳細な説明】
【技術分野】
【０００１】
本発明は、ハンガーなどの物品を吊り下げたり、紐などを掛けたりするために使用する二重フックに関する。
【背景技術】
【０００２】
従来から、図４（ａ）に示すようなフック１は、たとえば、ＪＩＳ  Ｂ０００１の図３８に示され、クレーンなどで物品を吊り下げる部分や、ハンガーや紐などを他に掛ける部分に使用されている。フック１は、鉤状の先端２と基端３との間が開口し、基端３側をハンガーや紐などに接続する。図４（ｂ）に示すように、フック１を物干竿のような棒４に掛ける場合、棒４の径Ｄは、先端２と基端３との間で開口する間隔Ｓよりも小さくする必要がある。
【０００３】
図４に示すようなフック１は、金属やプラスチックなど、種々の材料や製法で製造することができる。板状の紙を素材として、積層して形成することもできる（たとえば、特許文献１参照）。また、開口する向きの違うフック１を重ねた状態で使用することもできる（たとえば、特許文献２参照）。
【先行技術文献】
【特許文献】
【０００４】
【特許文献１】特開平７−１９４４７４号公報
【特許文献２】登録実用新案第３０２５０３０号公報
【発明の概要】
【発明が解決しようとする課題】
【０００５】
図４（ｂ）のように、棒４などにフック１を掛ける場合、棒４の径Ｄと間隔Ｓとは、Ｄ＜Ｓである必要があり、Ｄを大きくすると、Ｓも大きくしなければならないけれども、Ｓを大きくすると、角度θが小さくなる。角度θが小さくなると、フック１の内側で棒４に掛る部分が減少し、外れやすくなってしまう。たとえば洗濯物を干すハンガーに付けたフック１を、物干竿としての棒４に掛ける場合、フック１が振れると、角度θが小さいと外れて、洗濯物が落下してしまうおそれがある。
【０００６】
特許文献２には、多種多様に使用可能な多用途フックについての考案が開示されており、その図６に示されている使用状態なら、逆向きのフック１が二重に掛る状態となって、振れても外れないことが期待される。しかしながら、この使用状態は多種多様な使用状態の一つであり、多種多様な使用状態を可能にするために、構成が複雑になっている。
【０００７】
本発明の目的は、簡単な構成で、いったん掛ければ、外れることがない二重フックを提供することである。
【課題を解決するための手段】
【０００８】
本発明は、可撓性を有する薄板状の素材で形成され、鉤先端部、鉤弧状部および鉤基端部を備え、鉤先端部と鉤基端部との間が開口し、開口の奥は鈎先端部と鈎基端部との間を弧状に連結する鈎弧状部となる鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フックである。
【０００９】
また本発明で、前記一方側フックおよび前記他方側フックの前記鉤基端部は、物品の吊下げ具に接続される、
ことを特徴とする。
【発明の効果】
【００１０】
本発明によれば、一方側フックと他方側フックとは、鉤先端部、鉤弧状部および鉤基端部を備え、鉤先端部と鉤基端部との間が開口する鉤形状を有し、開口する方向が逆の状態で、結合部によって鉤基端部同士が結合している。一方側フックと他方側フックとの間が開閉可能であるので、開けば、一方側フックと他方側フックとで別々に棒などの支持体に掛けることができる。支持体に掛けた後で、一方側フックと他方側フックとの間を閉じれば、棒などの支持体から外れないように掛けておくことができる。たとえ振れて、一方側フックから支持体が外れても、他方側フックからは外れないので、振れが戻れば、両方のフックが掛る状態に復帰することができる。一方側フックと他方側フックとを、相互に反転した向きで重ねればよいので、簡単な構成で、いったん掛ければ、外れることがない二重フックを実現することができる。
【００１１】
また本発明によれば、ハンガーやピンチなどを物干竿などに掛けて洗濯物などの物品を吊り下げるような場合に、物品が振れても、物干竿などからはずれないようにすることができる。
【図面の簡単な説明】
【００１２】
【図１】図１は、本発明の一実施例である二重フック１０の主要部分の構成を簡略化して示す正面図、および物干竿やパイプハンガーなどの棒１４に掛ける状態を示す図である。
【図２】図２は、図１の二重フック１０の展開図である。
【図３】図３は、本発明の参考例である二重フック２０で多数の線材１５を結束している状態を示す簡略化した断面図である。
【図４】図４は、従来からのフック１を示す正面図である。
【発明を実施するための形態】
【００１３】
以下、図１および図２で、本発明の一実施例としての二重フック１０について説明する。また、図３では、本発明の参考例としての二重フック２０について説明する。各図の説明で、先に説明してある部分と対応する部分に同一の参照符を付し、重複する説明を省略する場合がある。
【実施例】
【００１４】
図１は、本発明の一実施例である二重フック１０を物干竿などの棒１４に掛けた状態の主要部分の構成を（ａ）に、棒１４に掛ける途中の状態を（ｂ）に、それぞれ示す。（ａ）に示すように、二重フック１０では、一方側フックである紙面の手前側のフック１１と、他方側フックである紙面の奥側のフック１２とが横方向に関して、相互に反転した状態で重ねられている。フック１１，１２は、紙面に垂直な方向の厚みが薄い状態の扁平な形状を有する板状の素材で形成されている。材料としては、金属、プラスチック、紙など、種々のものを使用することができる。フック１１，１２は、鉤状であり、鉤先端部１１ａ，１２ａと鉤基端部１１ｂ，１２ｂとの間がそれぞれ開口している。開口の奥は、鉤先端部１１ａ，１２ａと鉤基端部１１ｂ，１２ｂとの間を弧状に連結する鉤弧状部１１ｃ，１２ｃとなっている。ただし、二重フック１０として、相互に反転して重ねられている状態では、開口部分同士は重ならないで、必ず、開口部分と鉤弧状部１１ｃ、１２ｃの部分とが重なる。したがって、二重フック１０は、簡単な構成でも、掛けた棒１４から外れないようにすることができる。
【００１５】
フック１１，１２は、たとえば、鉤基端部１１ｂ，１２ｂで接合され、結合部１３が生じている。鉤基端部１１ｂ，１２ｂの下方には、ハンガー、ピンチ、紐などを連結して使用することができる。なお、フック１１，１２の平面形状は、基本的に鉤先端部１１ａ，１２ａと鉤基端部１１ｂ，１２ｂとの間が開口し、開口の奥が鉤弧状部１１ｃ，１２ｃとして転結されていればよく、形状自体は種々変更しうる。
【００１６】
（ｂ）に示すように、二重フック１０では、たとえばフック１１，１２が薄板状であるので全体的に可撓性を有し、厚み方向に開くことができる。開いている状態で、各フック１１，１２をそれぞれ棒１４に掛ければ、フック１１，１２を閉じた後で、（ａ）に示すような状態を容易に実現することができる。また、フック１１，１２を閉じて棒１４に掛っている状態から棒１４を外すためには、同様にフック１１，１２間を開き、各フック１１，１２からそれぞれ棒１４を外すようにすればよい。
【００１７】
図２は、図１の二重フック１０を展開した状態で示す。二重フック１０は、たとえば板状の紙を使用して形成される。鉤基端部１１ｂ，１２ｂで折曲げ、結合部１３で折曲げ部分の近傍を接合すれば、図１のような二重フック１０を形成することができる。特許文献１の図２のフック補強板に相当する部分を、鉤基端部１１ｂ，１２ｂに付加することもできる。このような展開状態では、印刷なども容易に行うことができ、図１のように二重フック１０を形成するときに、印刷内容を表示することができる。衣料品の店舗などで、商品を展示するハンガーなどに使用すれば、安価で、かつサイズなどの商品に関する情報を判り易く表示することができる。また、色、形、材質を変えて製造することも容易であり、種々のデザインで店舗などでのファッション性、インテリア性に寄与させることもできる。
【００１８】
フック１１，１２間の開閉を容易にするために、鉤弧状部１１ｃ，１２ｃに部分的な膨らみ１１ｄ，１２ｄなどで厚みを設けることもできる。膨らみ１１ｄ，１２ｄは、鉤先端部１１ａ，１２ａに設けることもできる。膨らみ１１ｄ，１２ｄ付近には隙間が生じるので、この隙間からフック１１，１２間を容易に開くことができる。
【００１９】
図３は、本発明の参考例である二重フック２０で多数の電気配線材１５を、たとえば制御盤内や、オフィスのフローリング床下などで結束している状態を示す。電気配線材１５は、たとえばワイヤハーネスの電線であり、束ねられている途中からでも、フック１１，１２間を開けば容易に結束することができる。また、途中で電気配線材１５の一部を外したり、さらに他の電気配線材１５を追加したりすることも容易である。長尺物としては、電気配線材１５ばかりではなく、棒状のもの、管状のものなど、種々のものに適用することができる。鉤基端部１１ｂ，１２ｂ側は、（ａ）に示すように、自由な状態とすることもでき、また、他の部分に接続して支持を受けるようにすることもできる。結束する線材１５は、少数で、フック１１，１２の内部との間に大きな隙間があってもよい。また複数、たとえば３つの二重フック２０を連結して、より多くの線材１５を結束することもできる。二重フック２０の基端部１１ｂ，１２ｂには、係止用のスナップなどを装着しておけば、二重フック２０同士の着脱を容易に行い、組合せの変更などにも対応可能にすることができる。
【００２０】
以上で説明した二重フック１０，２０は、棒１４や電気配線材１５などの長尺物の途中に装着するばかりではなく、ロープやワイヤなどの長尺物の先端に取付けて、ロープやワイヤなどを他に引掛けるために用いることもできる。また、管の先端に取付け、管中を挿通するワイヤなどで、二重フック１０，２０を遠隔的に開閉操作可能にしておけば、高所など、離れた場所の長尺物の途中に掛けることもできる。
【００２１】
このような二重フック１０，２０の形状は、キーホルダーなどに広く使用されている二重リングと似ているかもしれない。しかしながら、二重リングは開口が設けられていない輪が二重に重ねられたものであり、重ねられた輪の間を開くことは可能でも、開くためには比較的大きな力を要する。
【００２２】
次の表１で、二重フック１０、２０と、二重リングおよび従来のフックとを比較して示す。
【表１】
2011217853.tif 000008
【００２３】
二重フック１０，２０のフック１１，１２間の開閉は、外部からは容易で、掛けた状態の内部からは困難である。二重フック１０，２０は、図４（ｂ）に示すフック１と同様に、開口部分の間隔Ｓ以下の径Ｄを有する棒などに掛けたり外したりすることができる。ただし、従来のフック１では、傾けると棒などから外れ易いのに対し、二重フック１０，２０では外れ難くなる。これに対し、二重リングでは、掛けたものが外れ難くなるように、リング間が開閉し難くされている。また、リング間は、リングの径に比較して小さくしか開かないので、内部にはリングの径に比較して小さい径相当のものしか収容することができない。二重フック１０，２０は、使用しうる素材も多くなる。複数の素材を組合わせることもできる。
【００２４】
図３（ｂ）に示すように、二重フック２０は、相互に連結することもできる。これに対して、従来のフックでは、たとえば図２のように二つのフック１１，１２を連結することは可能でも、使用する場合には、一方を上にして物干竿などに掛け、他方を下にして吊下げるなど、方向に制限が生じる。二重リングでは、輪相互を噛合わせて連結することのみに制限される。
【符号の説明】
【００２５】
１０，２０  二重フック
１１，１２  フック
１１ａ，１２ａ  鉤先端部
１１ｂ，１２ｂ  鉤基端部
１１ｃ，１２ｃ  鉤弧状部
１１ｄ，１２ｄ  膨らみ
１３  結合部
１４  棒
１５  電気配線材
【手続補正２】
【補正対象書類名】特許請求の範囲
【補正対象項目名】全文
【補正方法】変更
【補正の内容】
【特許請求の範囲】
【請求項１】
可撓性を有する薄板状の素材で形成され、鉤先端部、鉤弧状部および鉤基端部を備え、鉤先端部と鉤基端部との間が開口し、開口の奥は鈎先端部と鈎基端部との間を弧状に連結する鈎弧状部となる鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フック。
【請求項２】
前記一方側フックおよび前記他方側フックの前記基端部は、物品の吊下げ具に接続されることを特徴とする請求項１記載の二重フック。
【手続補正書】
【提出日】平成23年3月24日(2011.3.24)
【手続補正１】
【補正対象書類名】明細書
【補正対象項目名】０００８
【補正方法】変更
【補正の内容】
【０００８】
本発明は、可撓性を有する薄板状の素材で形成され、鉤先端部、鉤弧状部および鉤基端部を備え、鉤先端部と鉤基端部との間が開口し、鉤弧状部が鉤先端部と鉤基端部との間を弧状に連結する鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フックである。
【手続補正２】
【補正対象書類名】明細書
【補正対象項目名】０００９
【補正方法】変更
【補正の内容】
【０００９】
また本発明で、前記一方側フックおよび前記他方側フックの前記鉤基端部は、物品の吊下げ具に接続されることを特徴とする。
【手続補正３】
【補正対象書類名】特許請求の範囲
【補正対象項目名】全文
【補正方法】変更
【補正の内容】
【特許請求の範囲】
【請求項１】
可撓性を有する薄板状の素材で形成され、鉤先端部、鉤弧状部および鉤基端部を備え、鉤先端部と鉤基端部との間が開口し、鉤弧状部が鉤先端部と鉤基端部との間を弧状に連結する鉤形状をそれぞれ有する一方側フックおよび他方側フックと、
一方側フックおよび他方側フックを、開口部分同士が重ならず、開口部分と鉤弧状部とが重なる状態で、鉤基端部同士が接合されている結合部とを含み、
一方側フックと他方側フックとの間が厚み方向に開閉可能である、
ことを特徴とする二重フック。
【請求項２】
前記一方側フックおよび前記他方側フックの前記鉤基端部は、物品の吊下げ具に接続されることを特徴とする請求項１記載の二重フック。